(57)【要約】【課題】高圧噴射の機能を確保しつつ、噴射パターンの切り換えが可能な液体噴出器を提供する。【解決手段】本発明は、容器20の内容物を吸引、加圧及び圧送するポンプ2を有し容器口部21に装着されるボディ1と、ポンプに通じる開孔A1を有しボディ1の先端に固定される連結部材4と、連結部材4からの内容物を調圧する調圧弁5と、調圧弁5からの内容物を噴出させる開孔6aを有し連結部材4に保持されるノズル6とを備え、ノズル6と連結部材4との間に、調圧弁5の収納空間Sを形成し連結部材4に固定される中間部材7を設け、中間部材7に、ノズル6の背面に設けた凹部6nに嵌合保持される凸部7pを設けると共に、凸部7pの外周面に、周方向に間隔を空けて、空間Sに通じる断面積の異なる複数の凹溝7g1,7g2を形成し、ノズル6の凹部6nに、開孔6aに繋がる複数の凹溝6g1を形成すると共に、当該凹溝6g1が凹溝7g1(7g2)に連通するように、当該ノズル6を連結部材4の周りに回転可能に保持する。【選択図】図２
2011177630.tif 000002
【特許請求の範囲】
【請求項１】
容器の内容物を吸引、加圧及び圧送するポンプを有し容器の口部に装着されるボディと、ポンプに通じる開孔を有しボディの先端に固定される連結部材と、この連結部材からの内容物を調圧する調圧弁と、この調圧弁からの内容物を噴出させる開孔を有し連結部材に保持されるノズルとを備え、
当該ノズルと連結部材との間に、調圧弁の収納空間を形成し当該連結部材に固定される中間部材を設け、
当該中間部材に、ノズルの背面に設けた凹部に嵌合保持される凸部を設けると共に、当該凸部の外周面に、周方向に間隔を空けて、収納空間に通じる断面積の異なる複数の凹溝を形成し、
当該ノズルの凹部に、当該ノズルの開孔に繋がる複数の凹溝を形成すると共に、当該凹溝が、中間部材の凸部に形成した凹溝に連通するように、当該ノズルを、連結部材の周りに回転可能に保持したことを特徴とする液体噴出器。
【請求項２】
請求項１において、断面積の異なる複数の凹溝のうち、２つの凹溝を一対に構成し、当該凹溝を、開孔を挟んで対向する位置に配置したことを特徴とする液体噴出器。
【発明の詳細な説明】
【技術分野】
【０００１】
本発明は、高圧噴射を目的に調圧弁を内蔵した液体噴出器に関するものである。
【背景技術】
【０００２】
従来の液体噴出器としては、容器の内容物をポンプによって吸引、加圧及び圧送するに際し、外界に噴射するまでに生じる圧力損失を考慮し、調圧弁を内蔵したものがある（例えば、特許文献１参照）。
【先行技術文献】
【特許文献】
【０００３】
【特許文献１】特開２００１−３４７１９３号公報
【発明の概要】
【発明が解決しようとする課題】
【０００４】
しかしながら、従来の液体噴出器は、噴射パターン（細かい霧や粗い霧、噴霧角度）を切り換えることができないため、使用者は、噴射パターンに応じた液体噴出器を使い分ける必要がある。即ち、従来の液体噴出器には、噴射パターンに応じた切り換えを可能とする点において改善の余地がある。
【０００５】
本発明の目的とするところは、高圧噴射の機能を確保しつつ、霧の状態や噴霧角度等の噴射パターンの切り換えが可能な液体噴出器を提供することにある。
【課題を解決するための手段】
【０００６】
本発明の液体噴出器は、容器の内容物を吸引、加圧及び圧送するポンプを有し容器の口部に装着されるボディと、ポンプに通じる開孔を有しボディの先端に固定される連結部材と、この連結部材からの内容物を調圧する調圧弁と、この調圧弁からの内容物を噴出させる開孔を有し連結部材に保持されるノズルとを備え、
当該ノズルと連結部材との間に、調圧弁の収納空間を形成し当該連結部材に固定される中間部材を設け、
当該中間部材に、ノズルの背面に設けた凹部に嵌合保持される凸部を設けると共に、当該凸部の外周面に、周方向に間隔を空けて、収納空間に通じる断面積の異なる複数の凹溝を形成し、
当該ノズルの凹部に、当該ノズルの開孔に繋がる複数の凹溝を形成すると共に、当該凹溝が、中間部材の凸部に形成した凹溝に連通するように、当該ノズルを、連結部材の周りに回転可能に保持したことを特徴とするものである。
【０００７】
本発明に従えば、断面積の異なる複数の凹溝のうち、２つの凹溝を一対に構成し、当該凹溝を、開孔を挟んで対向する位置に配置することができる。
【発明の効果】
【０００８】
本発明によれば、ノズルを連結部材の周りに回転させて、断面積の異なる凹溝をノズルの開孔に通じさせることで、例えば、断面積の小さい凹溝の場合は細かい霧で噴霧角度を大きくすることができ、また、断面積の大きな凹溝の場合は粗い霧で噴霧角度を小さくすることができる等、内容物の噴射圧を変更することができる。従って、本発明によれば、ノズルを連結部材の周りに回転させるだけで、高圧噴射の機能を確保しつつ、霧の状態や噴霧角度等の噴射パターンを切り換えることができる。
【図面の簡単な説明】
【０００９】
【図１】本発明の第一の形態である、トリガー式液体噴出器を側面から示す断面図である。
【図２】同形態に係る、ノズル付近を示す要部断面図である。
【図３】同形態に係る、ノズルと中間部材との組み付け部分を模式的に示す分解斜視図である。
【図４】(a)〜(c)はそれぞれ、高圧噴射時、噴射停止状態及び低圧噴射状態における流路状態を模式的に示す説明図である。
【図５】本発明の第二の形態に係る、ノズル付近を示す要部断面図である。
【図６】従来技術に係る、ノズル付近を示す要部断面図である。
【発明を実施するための形態】
【００１０】
以下、図面を参照して、本発明の様々な形態を詳細に説明する。
【００１１】
図１〜４にはそれぞれ、本発明の第１の形態を示す。図中、１は、容器２０の内容物を吸引、加圧及び圧送するポンプ２を有し容器２０の口部２１に装着されるボディである。ボディ１の内部には、インテークＩが嵌合保持され、このインテークＩとの間に、逆止弁Ｂが配置されている。また、インテークＩには、チューブＣが接続され、容器の内容物を吸入することができる。
【００１２】
ポンプ２は、トリガー３の牽曳によってポンプ動作が生起される既存のものである。ポンプ２は、逆止弁Ｂを介して吸引された内容物を加圧すると共に、当該内容物をボディ１内に形成された内部通路Ｐに圧送する。
【００１３】
４は、ボディ１の先端に固定される連結部材である。連結部材４は、内部通路Ｐに通じる開孔Ａ1を有し、この開孔Ａ1は、内部通路Ｐよりも小さな内径を有し、オリフィスとして機能する。また、連結部材４は、開孔Ａ1を取り囲む内筒部４ａ及び外筒部４ｂを有し、これらが先端に向かって突出する。加えて、連結部材４は、内筒部４ａの内側に突出部４ｐが一体に設けられている。なお、突出部４ｐは、後述の弾性部材５ｓの案内として機能する。
【００１４】
５は、連結部材４からの内容物を調圧する調圧弁である。調圧弁５は、弾性部材（例えば、リターンスプリング）５ｓを介して保持される弁体５ａと共に、連結部材４の内筒部４ａに摺動可能に保持される第１の摺動部５ｐ1と、後述する中間部材７に摺動可能に保持される第２の摺動部５ｐ2とを有する。
【００１５】
第１の摺動部５ｐ1は、筒状をなし、図２に示すように、連結部材４の内筒部４ａの内周面に対して液密状態に保持され、第２の摺動部５ｐ2も同様に、筒状をなし、後述する中間部材７の周壁７ｂの内周面に対して液密状態に保持されている。第１の摺動部５ｐ1の外径は、同図に示すように、第２の摺動部５ｐ2の外径よりも小径をなし、これにより、調圧弁５は、摺動部５ｐ1及び５ｐ2の受圧面積差に応じて、弾性部材５ｓの付勢力（弾性力）に抗した摺動動作を可能にする。
【００１６】
６は、調圧弁５からの内容物を噴出させる開孔６ａを有し、連結部材４に保持されるノズルである。ノズル６の背面には、図３に示すように、凹部６ｎが形成されている。凹部６ｎは、開孔６ａを含む底面６ｎ1を有し、この底面６ｎ1の外縁から筒状に延在する内周面６ｎ2で形作られている。
【００１７】
更に詳細には、凹部６ｎの底面（以下、「凹部底面」）６ｎ1には、図３に示すように、開孔６ａに繋がる２つの凹溝６ｇ1が形成されている。これら凹溝６ｇ1は、内容物を噴霧させるためのスピン溝を構成し、開孔６ａを挟んで対向する位置に配置されている。また、凹溝（以下、「スピン溝」）６ｇ1の合流部６ｃは、同図に示すように、開孔６ａに通じる凹部を形成する。
【００１８】
７は、連結部材４とノズル６との間に配置される中間部材である。中間部材７は、連結部材４の外筒部４ｂの内側に形成された開口を仕切る仕切壁７ａを有し、仕切壁７ａの外縁から周壁７ｂが一体に延在する。
【００１９】
また、中間部材７には、図３に示すように、その周壁７ｂの外周面に、周方向に間隔を空けて複数の突条７ｃが一体に形成されているのに対し、連結部材４には、図２に示すように、その外筒部４ｂの先端に、周方向に間隔を空けて複数の切り欠き４ｃが形成されている。これにより、中間部材７は、その突条７ｃが連結部材４の切り欠き４ｃに嵌合することで、外筒部４ｂに回転不納に固定されると共に、連結部材４と中間部材７との間には、調圧弁５の収納空間Ｓが形成される。
【００２０】
また、中間部材７には、図３に示すように、その仕切壁７ａに、ノズル６の背面に設けた凹部６ｎに嵌合保持される凸部７ｐが設けられている。凸部７ｐは、図２に示すように、ノズル６の凹部底面６ｎ1に突き当たる先端面７ｐ1を有し、この先端面７ｐ1の外縁から円柱状に延在する外周面７ｐ2で形作られている。
【００２１】
凸部７ｐの外周面には、図３に示すように、周方向に間隔を空けて、収納空間Ｓに通じる４つの開口部Ａ2が形成されている。４つの開口部Ａ2はそれぞれ、図２に示すように、調圧弁５の弁体５ａによって封止されており、調圧弁５が収納空間Ｓの内圧上昇に伴い弾性部材５ｓの付勢力（弾性力）に抗して連結部材４側に後退することで開放される。
【００２２】
加えて、凸部７ｐの外周面には、図３に示すように、当該開口部Ａ2と周方向に互い違いに配置された４つの凹溝７ｇ1，７ｇ2が形成されている。凹溝７ｇ1，７ｇ2はそれぞれ、軸線Ｏに沿って延在する、断面積の小さな条溝と、断面積の大きな条との異なる断面積からなる。更に詳細には、本形態では、深さが浅く断面積の小さな凹溝（以下、「第１条溝」）７ｇ1と、深さが深く断面積の大きな凹溝（以下、「第２条溝」）７ｇ2をそれぞれ、２つずつの組とし、開孔６ａ（軸線Ｏ）を挟んだ一対の構成としている。
【００２３】
なお、これらの対は、図４(b)に示すように、軸線Ｏ周りに角度Ｄだけずらして配置されているが、角度Ｄは、使用者の要求や用途に併せ、適宜、変更することができる。
【００２４】
これに対し、ノズル６に設けた凹部６ｎには、図３に示すように、その内周面（以下、「凹部内周面」）６ｎ2に、スピン溝６ｇ1と軸線Ｏ周りに整列するように、軸線Ｏに沿って延在する２つの凹溝（以下、「条溝」）６ｇ2が形成されている。
【００２５】
加えて、ノズル６には、連結部材４の外筒部４ｂを取り囲む筒体部６ｂが設けられている。この筒体部６ｂの内周面には、図２に示すように、全周に沿って環状の溝部６ｄが形成されている。この溝部６ｄには、中間部材４の外筒部４ｂに設けた環状のリブ４ｒが嵌合保持されている。これにより、ノズル６は、連結部材４の外筒部４ｂ周りに回転可能に保持される。
【００２６】
ノズル６を連結部材４の周りに回転させて、図４(a)に示す位置に位置決めすれば、同図に示すように、凹部６ｎのスピン溝６ｇ1と条溝６ｇ2との間が、凸部７ｐの外周面によって遮断されるため、収納空間Ｓから条溝６ｇ2に圧送された内容物は、開孔６ａから噴射されることがない。従って、使用者は、図４(a)に示すように、ノズル６を位置決めすれば、誤ってトリガー３を牽曳しても、内容物は噴射されることがなく、持ち運び等の携帯性に優れる。
【００２７】
これに対し、ノズル６を連結部材４の周りに回転させて、図４(b)に示す位置に位置決めすれば、同図に示すように、凹部６ｎのスピン溝６ｇ1と条溝６ｇ2との間が、凸部７ｐの外周面に形成された第１条溝７ｇ1を通して連通される。
【００２８】
即ち、収納空間Ｓから条溝６ｇ2に圧送された内容物は、深さが浅く断面積の小さい第１条溝７ｇ1からスピン溝６ｇ1に導入された後、合流部６ｃを通して開孔６ａから噴射される。このように、断面積の小さい凹溝７ｇ1を通して導入される場合は、噴霧角度αが大きく（α＝α1）、細かな霧を噴射させることができる。従って、使用者は、例えば、通常の霧（細かな霧で噴霧角度αが大きい）を噴射させたいときには、図４(b)に示すように、ノズル６を位置決めすれば、内容物は通常の霧として噴射させることができる。
【００２９】
他方、ノズル６を連結部材４の周りに回転させて、図４(c)に示す位置に位置決めすれば、同図に示すように、凹部６ｎのスピン溝６ｇ1と条溝６ｇ2との間が、凸部７ｐの外周面に形成された第２条溝７ｇ2を通して連通される。
【００３０】
即ち、収納空間Ｓから条溝６ｇ2に圧送された内容物は、深さが深く断面積の大きな凹溝７ｇ2からスピン溝６ｇ1に導入された後、合流部６ｃを通して開孔６ａから噴射される。このように、断面積の大きな凹溝７ｇ2を通して導入される場合は、噴霧角度αが小さく（α＝α2）、粗い霧を噴射させることができる。従って、使用者は、例えば、粒子が粗く噴射角度αが小さい霧を噴射させたいときには、図４(c)に示すように、ノズル６を位置決めすれば、内容物は、粒子の粗い霧として噴射させることができる。
【００３１】
図６には、従来の液体噴出器を例示する。従来のトリガー式液体噴出器は、連結部材４との間に、調圧弁５を配置するため、当該連結部材４の外筒部４ｂに直接ノズル６０をスプライン嵌合させている。このため、ノズル６０は連結部材４周りに回転させることができない。
【００３２】
従って、従来の液体噴出器は、調圧弁５から圧送された内容物をノズルチップ６１に形成された開孔６１ａから噴射させるに過ぎず、ノズル６０を回転させることで噴射パターンを切り換えることは困難である。
【００３３】
これに対し、本形態によれば、上述のように、ノズル６を連結部材４の周りに回転させ、断面積の異なる第１条溝７ｇ1及び第２条溝７ｇ2を適宜選択することで、例えば、断面積の小さい凹溝７ｇ1の場合は細かい霧で噴霧角度αを大きくすることができ、また、断面積の大きな凹溝７ｇ2の場合は粗い霧で噴霧角度αを小さくすることができる等、内容物の噴射圧を変更することができる。従って、本形態によれば、ノズル６を連結部材４の周りに回転させるだけで、高圧噴射の機能を確保しつつ、霧の状態や噴霧角度α等の噴射パターンを切り換えることができる。
【００３４】
なお、８は、ノズル６の先端に、ピン８ａを介して揺動可能に保持されるノズルカバー、９は、ボディ１に固定されるボディカバーである。また、１０は、ボディ１をポンプ２と共に容器２０の口部２１に装着するための装着筒である。なお、装着筒１０は、螺合により装着されているが、この装着手段はねじに限定されるものではない。
【００３５】
ところで、本発明に従えば、上述のとおり、ノズル６を接続部材４周りに回転させることによって、開孔６ａを開閉させることができる。このため、本発明によれば、図５に示す第２の形態のように、ノズルカバー８を省略することができる。
【００３６】
上述したところは、本発明の一形態を示したに過ぎず、特許請求の範囲内において、種々の変更を加えることができる。例えば、上述の形態は、予め液体噴出器としてユニット化されているが、本発明に従えば、ユニットさせることなく、容器に対して個々のパーツを組み付けるものとすることもできる。
【産業上の利用可能性】
【００３７】
本発明は、例えば、化粧水、整髪料等の化粧品、虫除け等の医薬品及び、美容・健康用品の分野に係る液体噴出器として採用することができる。
【符号の説明】
【００３８】
１    ボディ
２    ポンプ
３    トリガー
４    連結部材
４ａ  内筒部
４ｂ  外筒部
４ｃ  切り欠き
５    調圧弁
５ａ  弁体
５ｐ1 第１の摺動部
５ｐ2 第２の摺動部
５ｓ  弾性部材（リターンスプリング）
６    ノズル
６ａ  開孔（噴出孔）
６ｂ  筒体部
６ｃ  合流部
６ｇ1 凹溝（スピン溝）
６ｇ2 凹溝（条溝）
６ｎ  凹部
６ｎ1  凹部底面
６ｎ2  凹部内周面
７    中間部材
７ａ  仕切壁
７ｂ  周壁
７ｃ  突条
７ｇ1 第１条溝
７ｇ2 第２条溝
７ｐ1  先端面
７ｐ2  外周面
８    ノズルカバー
９    ボディカバー
Ａ1   開孔（オリフィス）
Ａ2   開口部
Ｃ    チューブ
Ｐ    内部通路
Ｓ    収納空間
【図１】
2011177630.tif 000003
【図２】
2011177630.tif 000004
【図３】
2011177630.tif 000005
【図４】
2011177630.tif 000006
【図５】
2011177630.tif 000007
【図６】
2011177630.tif 000008